(57)【要約】      （修正有）【課題】のぼり旗のチチ輪を竿に通す作業を、より簡便で効率的に行うことができる、のぼり竿用キャップを提供する。【解決手段】のぼり竿の端部に嵌る結合部２と、該結合部から延在する胴体部３と、該胴体部から突出する先端部４とを有するのぼり竿用キャップ１であって、胴体部の直径が結合部から先端部に向かって略漸減し、かつ先端部が十分に細く又は薄いのぼり竿用キャップとのぼり竿の端部に嵌る結合部と、該結合部から延在する胴体部と、該胴体部から突出する細く又は薄い先端部を有し、先端部が、のぼり旗に設けられたチチ輪の幅より長く、旗のチチ輪を竿に通す際に容易に通過する、のぼり竿用キャップであって、該結合部の内部表面に複数個の突起を設け、突起の先端とのぼり旗の端部を着脱可能に嵌合する。【選択図】図１
0003131771.tif 000002
【実用新案登録請求の範囲】
【請求項１】
のぼり竿の端部に嵌る結合部と、該結合部から延在する胴体部（Ａ）と、該胴体部から突出する先端部（Ｂ）とを有するのぼり竿用キャップであって、
胴体部（Ａ）の直径が結合部から先端部（Ｂ）に向かって略漸減し、かつ先端部（Ｂ）が十分に細く又は薄いことで、チチ輪を竿に通す際に、竿がチチ輪を容易に通過することを特徴とする、のぼり竿用キャップ。
【請求項２】
のぼり竿の端部に嵌る結合部と、該結合部から延在する胴体部（Ａ）と、該胴体部から突出する細く又は薄い先端部（Ｂ）を有し、先端部（Ｂ）が、のぼり旗に設けられたチチ輪の幅より長く、旗のチチ輪を竿に通す際に容易に通過する、のぼり竿用キャップであって、
該結合部の内部表面に複数個の突起を設け、突起の先端とのぼり旗の端部を着脱可能に嵌合することを特徴とするのぼり竿用キャップ。
【請求項３】
突起の形状が、円柱、円錐、円錐台、三角柱、三角錐、三角錐台、四角柱、四角錐、四角錐台、五角柱、五角錐、五角錐台、六角柱、六角錐、六角錐台から選択された形状であることを特徴とする請求項２に記載の、のぼり竿用キャップ。
【請求項４】
突起の形状が、半円凸条、半楕円凸条、半円台凸条、蒲鉾状凸条、三角凸条、三角台凸条、四角凸条、ヒダから選択された形状であることを特徴とする請求項２に記載の、のぼり竿用キャップ。
【請求項５】
突起の材料が、プラスチック、ゴム、熱可塑性エラストマーから選択されたものであることを特徴とする請求項２に記載の、のぼり竿用キャップ。
【請求項６】
請求項１〜５に記載の、のぼり竿用キャップは、全体が一体的に成形されていることを特徴とする、のぼり竿用キャップ。
【考案の詳細な説明】
【考案の詳細な説明】
【産業上の利用分野】
【０００１】  この考案は、のぼり竿用キャップに関し、より詳しくは、のぼり旗のチチ輪を竿に通す作業を、より簡便で効率的に行うことができる、のぼり竿用キャップに関するものである。
【背景技術】
【０００２】  のぼり旗には、その端部に旗を竿（支柱）や横棒に取り付けるためのチチ輪が縫い付けられている。そのチチ輪は、竿の太さやチチ輪の材料などにもよるが、通常、０．５〜２ｃｍとされている。そして、旗を竿に通す前にあっては、旗を広げても輪が押しつぶされて膨らみ幅がほとんどない状態にされている。
そのため、のぼり旗の組み立ての過程において、竿にチチ輪を通す際に、チチ輪を竿の端部に引っ掛けることがない様に通すため、つぶれた状態のチチ輪を手作業で膨らみ幅を作る必要があった。【０００３】  このチチ輪に膨らみ幅を作って竿に通す作業は、組み立ての過程の中でも特に繊細な手作業が必要であり、時間のかかる非効率な作業であった。のぼり旗は、例えば街頭での広告、お祭り、イベント、選挙運動などで使用されることが多く、その際に、のぼり旗を一度に多数使用されることも少なくない。【０００４】  また、のぼり旗の組み立て作業は繊細な手作業に不向きな野外で行われることが多く、猛暑、強風、雨天など悪天候の場合や、時間的制約があるときなどは、作業者の負担は大きく、のぼり旗のチチ輪を竿に通すのに、多大な労力と無益な時間が浪費されていた。【０００５】  従来のキャップは、図８（Ｉ）（ＩＩ）にその外観を示すように、細くて短い横棒とそれに付けられた旗を単に支えられればよいと考えられており、小さく形状も円筒状の平凡なものばかりであった。その構造は、キャップ１０の頂部が平らで竿１１とほぼ同じ幅になっており、竿１１の端部に設けられた外ネジ１２に、キャップ１０の内ネジ１３が嵌まり込み、差し込み穴に通される横棒１４を上から押さえつけるようにしている（例えば、特許文献１参照）。【０００６】  このようなことから、のぼり旗の組み立て作業を簡便かつ効率的に行えることが必要とされ、しかも広告・宣伝にも寄与するようなユニークな形状をした、のぼり旗竿用キャップが望まれていた。
【特許文献１】  実用新案登録第３１２２２５４号公報
【考案が解決しようとする課題】
【０００７】  この考案の第１の目的は、のぼり旗のチチ輪を竿に通す作業を、より簡便で効率的に行うことができる、のぼり竿用キャップを提供することにある。また、この考案の第２の目的は、前記のぼり竿用キャップを作る際に、製造コストの低減を計ることができる結合部を有するのぼり竿用キャップを提供することにある。
のぼり竿用キャップを作る際は、製造コストの低減を計るため、高価な金型を製作し、高価なプラスチック射出成形機を用いて大量生産しなければならないので、高価な金型は１個に留めざるを得ない。金型が１個であるということは、のぼり竿用キャップの下端にある結合部の内径も特定寸法の物のみが作られることとなる。この場合、下記の不都合が起る。
のぼり竿用キャップの下端にある結合部の内部には、のぼり竿の先端が挿入され、嵌合されるが、結合部の内径とのぼり竿の外径か略一致すれば問題はない。ところが、のぼり竿の種類は多くあり、その外径も大きいものから小さいものまで多種類ある。そのため、のぼり竿の全種類に合わせて金型を多種類製作すると大変な金額となり、採算は取れなくなる。したがって、結合部の構造を工夫し、どの様な外径ののぼり竿であっても、１つの特定構造を有する結合部で対応できる、すなわち嵌合できる様にすることが必要である。
【課題を解決するための手段】
【０００８】  本考案者は、上記第１の目的を達成するために、胴体部の直径が結合部から先端部に向かって漸減し、かつ先端部が十分に細く又は薄くすることにより、チチ輪の隙間に竿を挿入しやすくなり、作業性が大幅に向上することを見出し、また上記第２の目的を達成するために、結合部の内側表面を突起構造とすることにより、異径ののぼり竿でも着脱可能に嵌合出来ることを見出し、本考案を完成した。
【０００９】  すなわち、本考案によれば、第１の考案として、のぼり竿の端部に嵌る結合部と、該結合部から延在する胴体部（Ａ）と、該胴体部から突出する先端部（Ｂ）とを有するのぼり竿用キャップであって、胴体部（Ａ）の直径が結合部から先端部（Ｂ）に向かって略漸減し、かつ先端部（Ｂ）が十分に細く又は薄いことで、チチ輪を竿に通す際に、竿がチチ輪を容易に通過することを特徴とする、のぼり竿用キャップが提供される。
【００１０】  一方、本考案の第２の考案として、のぼり竿の端部に嵌る結合部と、該結合部から延在する胴体部（Ａ）と、該胴体部から突出する細く又は薄い先端部（Ｂ）を有し、先端部（Ｂ）が、のぼり旗に設けられたチチ輪の幅より長く、旗のチチ輪を竿に通す際に容易に通過する、のぼり竿用キャップであって、該結合部の内部表面に複数個の突起を設け、突起の先端とのぼり旗の端部を着脱可能に嵌合することを特徴とする、のぼり竿用キャップが提供される。
また、本考案の第３の考案として、前記第２の考案において、突起の形状が、円柱、円錐、円錐台、三角柱、三角錐、三角錐台、四角柱、四角錐、四角錐台、五角柱、五角錐、五角錐台、六角柱、六角錐、六角錐台から選択された形状であることを特徴とする、のぼり竿用キャップが提供される。
また、本考案の第４の考案として、前記第２の考案において、突起の形状が、半円凸条、半楕円凸条、半円台凸条、蒲鉾状凸条、三角凸条、三角台凸条、四角凸条、ヒダから選択された形状であることを特徴とする、のぼり竿用キャップが提供される。
また、本考案の第５の考案として、前記第２〜４の考案において、突起の材料が、プラスチック、ゴム、熱可塑性エラストマーから選択されたものであることを特徴とする、のぼり竿用キャップが提供される。
さらに、本考案の第６の考案として、前記第１〜５の考案において、全体が一体的に成形されていることを特徴とする、のぼり竿用キャップが提供される。
【考案の効果】
【００１１】  本考案ののぼり竿用キャップは、胴体部（Ａ）の直径が結合部から先端部（Ｂ）に向かって漸減し、かつ先端部（Ｂ）が十分に細く又は薄く形成されているために、のぼり竿にチチ輪を通す作業を、より簡便で効率的に行うことが可能となり、のぼり旗組み立て作業時間の短縮化を図ることが出来る。また、強度も十分で、倒れても安全であるだけでなく、従来にない外観を呈しており、広告効果も一段と大きくなる。また、結合部の内側表面を突起構造とすることにより、異径ののぼり竿でも着脱可能に嵌合出来るので、のぼり竿用キャップを多種類作る必要がなく、のぼり竿用キャップの製造コストが低減できる効果がある。
【考案を実施するための最良の形態】
【００１２】  以下に、本考案の、のぼり竿用キャップとその使用方法を図面に基づいて詳細に説明する。【００１３】１．のぼり竿用キャップ
本考案において、のぼり竿用キャップは、のぼり竿に対して着脱可能に固定されて竿の端部を覆うものである。【００１４】  本考案ののぼり竿用キャップ１の全体構造は、図１のように、竿の端部に嵌る結合部２と、該結合部２から延在する胴体部３と、該胴体部から突出する先端部４を有している。【００１５】  結合部２は、のぼり竿に対して着脱可能に固定できるようにされている。また、竿の端部に設けられる台座と一体化してもよい。その場合は、内側にネジを設けて竿の外ネジに嵌まり込むようにする。
結合部２は、第２の考案の場合、該結合部の内部表面に複数個の突起を設け、突起の先端とのぼり旗の端部を着脱可能に嵌合出来るようにされている。突起の形状は、円柱、円錐、円錐台、三角柱、三角錐、三角錐台、四角柱、四角錐、四角錐台、五角柱、五角錐、五角錐台、六角柱、六角錐、六角錐台のいずれかの形状である。また、別の突起の形状は、半円凸条、半楕円凸条、半円台凸条、蒲鉾状凸条、三角凸条、三角台凸条、四角凸条、ヒダのいずれかの形状である。図９、１０、１１、１２にそれぞれ四角柱、円柱、三角凸条、半楕円凸条の突起を図示した。
突起の材料は、プラスチック、ゴム、熱可塑性エラストマーから選択される。プラスチックとしては、低密度ポリエチレン、エチレン−酢酸ビニル共重合体、エチレン−アクリル酸エステル共重合体、高密度ポリエチレン、直鎖状低密度ポリエチレン、超低密度エチレン−αオレフィン共重合体、ポリプロピレン、ポリメチルペンテン−１、ポリシクロオレフィン、ポリ塩化ビニル、ポリスチレン、アクリル樹脂、ＡＢＳ樹脂、ＡＳ樹脂ポリアミド、ポリアセタール、ポリエチレンテレフタレート、ポリブチレンテレフタレート、ポリフェニレンサルファイド、ポリエーテルケトン、液晶ポリマー、ポリカーボネート、ポリフェニレンエーテル、ポリカーボネート、ポリフェニレンエーテル、ポリサルホン、ポリエーテルイミド、ポリアミドイミド等が挙げられる。このうち、特に低密度ポリエチレン、エチレン−酢酸ビニル共重合体、エチレン−アクリル酸エステル共重合体、高密度ポリエチレン、直鎖状低密度ポリエチレン、超低密度エチレン−αオレフィン共重合体、ポリプロピレンが好ましい。
ゴムとしては、天然ゴム、イソブチレンゴム、ブタジエンゴム、スチレンブタジエンゴム、クロロプレンゴム、ブチルゴム、アクリロニトリルブタジエンゴム、水素化ニトリルゴム、エチレンプロピレンゴム、アクリルゴム、フッ素ゴム、クロロスルホン化ポリエチレン、エピクロロヒドリンゴム、シリコーンゴム、ウレタンゴム等があげられ、天然ゴム、ブタジエンゴム、スチレンブタジエンゴム、エチレンプロピレンゴムが好ましい。
熱可塑性エラストマー（以下ＴＰＥと略す）としては、ポリオレフィン系ＴＰＥ、天然ゴム系ＴＰＥ、ポリウレタン系ＴＰＥ、ポリ塩化ビニル系ＴＰＥ、ポリエステル系ＴＰＥ、ポリアミド系ＴＰＥ、スチレン系ＴＰＥ等が挙げられ、ポリオレフィン系ＴＰＥ、スチレン系ＴＰＥが好ましい。
これらの材料は、材料そのままの充実体であってもよく、発泡体、中空体であってもよい。
結合部の内部表面に、形状と材質を特定に限定された複数の突起を設けることにより、異なる外径ののぼり竿の端部を結合部に挿入しても、突起自体が変形するので、突起の先端とのぼり旗の端部を着脱可能に嵌合出来る。
突起の形状としては、突起の高さが大きく、隣接する突起間の間隔が大きいほうが変形の余地が大きいので、異径ののぼり竿に対応できるので好ましい。さらに、突起の高さが大きい突起と、突起の高さが小さい突起を混在させた方が異径ののぼり竿に対応できる。
結合部の製作のための金型（この場合説明の都合上、のぼり竿用キャップを作る金型を意味する）は、製作個数を少なくした方が製作コストを低減できるので、一旦金型を製作した後、異径ののぼり竿に対処するには、材質の選択により対処する方がよい。すなわち、外径が大きい竿を使用する場合はヤング率の値が低い材料、例えばエチレン−酢酸ビニル共重合体の発泡体が好ましい。
結合部の内面の突起は、のぼり竿用キャップ全体の一部として一体的に成形されている方が射出によって成形できるので、製造コストが低減できる。しかしながら、射出成形の場合、金型の形状が固定されるので、多数の異径ののぼり竿に対して、キメ細かな対応が出来ない場合もある。その場合、のぼり竿用キャップの製造個数の大小、のぼり竿の外径の種類の大小を考慮し、突起部分を別に製作し（複数の突起同士を繋ぐベースマット６も含む）、結合体（勿論、突起部はないものである）の内部表面にベースマット６を円筒状にし、その外側表面を接着剤で貼り合せるか、又は、円筒状のベースマット６の外径を結合部の内径よりやや大き目に設計し、円筒状のベースマットの膨張力により機械的に固定してもよい。これらの例を図１３、１４、１５、１６に示した。【００１６】  胴体部３の直径は、結合部から先端部に向かって略漸減している。すなわち、胴体部３の根元太さは、図示したとおり、結合部２の太さと略同等であるが、先端部４ほど徐々に細くなっている。略漸減しているとしたのは、胴体部の太さが一部で同じだったり、細くならず僅かに太くなっていても、本発明の目的を損なわない程度であれば差し支えないということである。実際に、胴体部の根元では、カバー２１の下端が密着するほうが具合がよいので、直径を漸減させないことが多い。また、射出成形での製造条件によっては、胴体部の外周に「バリ」が生じることもあり、その部分だけ直径が拡大する。しかし、このようなものであっても、僅かであれば竿通し作業に大きな悪影響がでない。ただし、その表面は滑らかで、できるだけ凹凸が少ないことが望ましい。そして、先端部４とつながる部分、すなわちカバー２１の下端が密着する部分を竿の内径よりも細くすることで、作業を終えた後に取り外して、キャップ全体を竿内に収納できるようにしてもよい。【００１７】  先端部４の寸法、形状は、本考案の目的にかなうものであれば特に制限されない。ただし、先端部の長さは、のぼり旗に設けられたチチ輪の幅よりも長く、例えば１ｃｍ以上、好ましくは１．５〜５ｃｍ、より好ましくは２〜４ｃｍとされ、旗を竿に通す際に、チチ輪が容易に通過できるようにする。先端部の長さが、チチ輪の幅よりも短く、１ｃｍ未満であると挿入しにくく、一旦挿入しても抜けやすいので好ましくない。また、先端部４の太さ（厚さ）は、１〜１０ｍｍ、好ましくは２〜８ｍｍ、より好ましくは３〜６ｍｍである。先端部４の太さ（厚さ）が、１ｍｍ未満では折れやすく、また竿が倒れたときに危険であり、１０ｍｍを越えるとチチ輪に挿入しにくく取り扱いにくくなり作業性が低下する。
一方、先端部の形状は、例えば、ナイフ状、鉛筆サック状、へら状などが好ましい。図１（Ｉ），（ＩＩ）には先端がナイフ状のものを示している。このようなキャップは、ほぼ均一な薄さの扁平状であり最先端部が斜め約４５度にカットされ、しかも面取りされているため、たとえ隙間が狭くなっているチチ輪であっても、隙間に容易に挿入でき押し広げるようにして竿を通すことができる。また、図２は、先端が鉛筆サック状のものを示している。このようなキャップでは、胴体部と先端部の境が不明瞭であるが、長さ方向の中ほどで大幅に直径が小さくなった場所が境目になる。これも胴体部から輪郭が流線型になり直径が漸減して、先端部では十分に細く、あるいは薄くなっているため、竿がチチ輪をくぐり易い。【００１８】  キャップの材質は、本考案の目的にかなうものであれば特に制限されず、加工の容易なプラスチック、アルミやブリキなどの金属、セラミックや粘土、木材のほか、防水性を付与された紙や布などを用いることができる。プラスチックとしては、ポリオレフィン、ポリカーボネート、ポリエステル、ポリアミドなどの熱可塑性樹脂や、不飽和ポリエステル、ビニルエステルなどの熱硬化性樹脂から選ばれる樹脂材料が挙げられる。樹脂材料には、酸化防止剤、安定剤、着色剤、滑剤などの添加剤や、微細なガラス粉末、カーボンブラックなどの充填剤を含有することができる。このような樹脂材料を用いれば金型で所定の形状に容易に成形できる。図１は全体を同じ材料で一体的に構成したものである。同じ材料を用いて全体を一体的に構成すれば、製造が容易で比較的低コストのキャップが得られる。【００１９】  このように全体を同じ材料で一体的に構成してもよいが、部分的に他の材料を組合せてもよい。例えば、結合部２、胴体部３を上記のような樹脂材料で構成し、一方、先端部４をゴム、エラストマーから選ばれるより柔軟で弾性のある材料で構成してもよい。それにより、先端部に衝撃が加わっても折れにくく、また竿が倒れても危険をなくすることができる。また、先端部を保護できるように、例えば、図１の（ＩＩＩ）に示したようなカバーを用意して、キャップ全体を覆うことができる。【００２０】  本考案には、様々な態様があるが、いずれのタイプも、胴体部２は、キャップ頂部が盛り上がるようになって、胴体部３の直径が結合部から先端部に向かって漸減し、それに連なる先端部４が十分に薄く、あるいは細く形成されている。たとえば、その一例である図５は、結合部２が図２の例と同様であるが、胴体部３と先端部４の形状が異なるものである。先端部４が本体の中央でなく外側に向かって位置しており、先端部４から胴体部３に連接する部分が大きなカーブを描いている。先端部の中心線と胴体部の中心線とは３０〜４５度程度で交差すると、チチ輪を竿に通しやすくしたまま、一旦竿に通したチチ輪が逆方向にずりあがって抜けてしまうのを防止できるので、作業能率が高まるという効果がある。【００２１】  また、図６のキャップは、図１、図５と結合部２は同様であるが、胴体部３と先端部４の形状が異なるものである。先端部４が薄くて、へら状になっており、先端部４と連接する胴体部３がゆるやかなカーブを描いている。そして、胴体部には���その中央部分に大きな空洞が設けられている。これにより、ユニークなデザインとなるだけでなく、胴体部に前後または左右方向の外力が加わったときに、柔軟性が生まれるので衝撃を吸収して危険性を小さくすることができる。胴体部は、空洞とする代わりに、蛇腹状やらせん状に形成しても良い。【００２２】  さらに、図７のキャップは、図６と同様に先端部４が薄く、へら状になっているが、先端部４として、長い物差し状のものを胴体部３に連結している。先端部４の長さは、前記のとおりであるが、この場合は、例えば５ｃｍ以上、好ましくは５〜１０ｃｍ、より好ましくは５〜８ｃｍとすることができ、先端部が長いことで、旗を竿に通す際にチチ輪が通過しにくくなるようなことはない。なお、先端部４を胴体部３とは異なる色にするか、透明な材料で構成してもよい。【００２３】２．のぼり竿用キャップの使用方法
次に、このキャップの使用方法について図２を用いて説明する。竿に旗を通す際には、まず、キャップ１を竿１１に取り付けなければならない。そのためには、台座１０（従来のキャップ）の上に本考案のキャップ１を載せ、台座１０に押し込むか、ねじ込むことになる。【００２４】  結合部２が竿１１に固定された後、竿に旗を通すには、片手に竿１１を持ち、他方の手で本考案のキャップ１を支え、その先端部を旗のチチ輪１５に当てる。先端部は細く、十分に長いので、チチ輪１５の僅かな隙間に容易に入り込む。旗１６には、縦縁部にチチ輪が多数設けられているが、この作業は、従来の作業時間を半減させるほど能率的である。これを繰り返した状態を図３に示している。【００２５】  そして、竿１１の縦方向にあるチチ輪を竿に通し終わると、次に、旗の横縁部のチチ輪に横棒１７を通し、台座の穴に挿入し、台座のネジを締めて固定する。その後、先端部を覆うようにカバー（図１の２１）を被せることが望ましい。こうすれば、突起状もしくは鋭利な先端部によって事故や怪我を防止することができる。これら一連の作業が完了し、のぼり旗が組み立てられた状態を図４に示している。本考案のキャップ１は、従来よりも大きくて目立つことから、旗のデザインによってキャップの色や形状を選択すれば、広告用のぼりとして一層効果的である。【００２６】  本考案（のぼり竿用キャップ）は、畳まれて平らな状態にある旗のチチ輪の隙間にキャップの先端を挿入することによって、チチ輪の隙間が開き、さらにチチ輪をキャップ胴体部（壁面）に沿わせて、先端から延長線上である竿本体側に送り出すにつれて、竿の直径程度の膨らみ幅となる。【００２７】  通常、チチ輪は１つの旗に数個取り付けられており、チチ輪を本考案のキャップ先端を挿入し竿本体に送り出す作業をチチ輪の数だけ繰り返し行うことになる。その際に、従来ならば、各チチ輪に膨らみ幅をつける動作を必要とするため、その度にチチ輪を竿に通し送り出す動作が中断されていたが、本考案のキャップを使用することで動作の中断がほとんど省略される。【００２８】  また、本考案のキャップは、竿ごとに脱着が可能で、１つの竿に旗を取り付ける作業が終わるごとに、取り外して別ののぼり竿に再び取り付け使用することが可能である。場合によっては、本考案品であるキャップが紛失しないように、あるいは竿ごとのキャップの脱着動作を省略させるために、竿本体と一体化して形成したものを供することもできる。
【図面の簡単な説明】
【００２９】
【図１】  本考案の代表的なのぼり竿用キャップの正面図（Ｉ）、側面図（ＩＩ）、及びカバーを被せた全体図（ＩＩＩ）である。
【図２】  図１ののぼり竿用キャップを竿の台座に装着する場合の説明図である。
【図３】  本考案の、のぼり竿用キャップを用いて、旗のチチ輪を通している様子を示す説明図である。
【図４】  図３の要領で、のぼり竿に旗を通し終えた状態を示す説明図である。
【図５】  本考案の他ののぼり竿用キャップの全体図である。
【図６】  本考案の、のぼり竿用キャップ（先端へら状）の全体図である。
【図７】  本考案の、のぼり竿用キャップ（先端ナイフ状）の全体図である。
【図８】  従来の、のぼり竿用キャップの正面図（Ｉ）、平面図（ＩＩ）である。
【図９】  直方体形状の突起を多数有する結合部の水平断面図（ａ）、垂直断面図（ｂ）である。
【図１０】  円柱形状の突起を多数有する結合部の水平断面図（ａ）、垂直断面図（ｂ）である。
【図１１】  三角凸条形状の突起を８条有する結合部の水平断面図（ａ）、垂直断面図（ｂ）である。
【図１２】  途中が切断されている山型凸条形状の突起を多数断続的に有する結合部の水平断面図（ａ）、垂直断面図（ｂ）である。
【図１３】  断面が三角台の凸条を隣接して５個有するベースマット斜視図（ａ）、及びベースマットの左端辺と右端辺を接合した内面に突起を有する円筒体の水平断面図（ｂ）である。
【図１４】  断面がきのこ形状の凸条を隣接して５個有するベースマット斜視図（ａ）、及びベースマットの左端辺と右端辺を接合した内面に突起を有する円筒体の水平断面図（ｂ）である。
【図１５】  断面が中空半楕円形状の凸条を隣接して５個有するベースマット斜視図（ａ）、及びベースマットの左端辺と右端辺を接合した内面に突起を有する円筒体の水平断面図（ｂ）である。
【図１６】  断面がＳ字形状の凸条を隣接して５個有するベースマット斜視図（ａ）、及びベースマットの左端辺と右端辺を接合した内面に突起を有する円筒体の水平断面図（ｂ）である。
【符号の説明】
【００３０】１    のぼり竿用キャップ
２    結合部
３    胴体部
４    先端部
５    突起
６    ベースマット
１０  台座
１１  竿
１５  チチ輪
１６  旗
１７  横棒
２１  カバー
【図１】
0003131771.tif 000003
【図２】
0003131771.tif 000004
【図３】
0003131771.tif 000005
【図４】
0003131771.tif 000006
【図６】
0003131771.tif 000007
【図７】
0003131771.tif 000008
【図５】
0003131771.tif 000009
【図８】
0003131771.tif 000010
【図９】
0003131771.tif 000011
【図１０】
0003131771.tif 000012
【図１１】
0003131771.tif 000013
【図１２】
0003131771.tif 000014
【図１３】
0003131771.tif 000015
【図１４】
0003131771.tif 000016
【図１５】
0003131771.tif 000017
【図１６】
0003131771.tif 000018